(57)【特許請求の範囲】
【請求項１】
無線通信システムにおいてＵＥ（ｕｓｅｒ  ｅｑｕｉｐｍｅｎｔ）により参照信号を送信する方法であって、前記方法は、
物理的セルＩＤ（ｉｄｅｎｔｉｔｙ）と異なる仮想セルＩＤを構成することと、
前記仮想セルＩＤを利用して基本シーケンスのシーケンスグループ番号を取得することと、
前記シーケンスグループ番号を利用して前記基本シーケンスを生成することと、
前記基本シーケンスを利用して生成された参照信号をｅＮｏｄｅＢ（ｅＮＢ）に送信することと
を含み、
前記参照信号は、ＰＵＳＣＨ（ｐｈｙｓｉｃａｌ  ｕｐｌｉｎｋ  ｓｈａｒｅｄ  ｃｈａｎｎｅｌ）のための復調参照信号であり、
前記参照信号は、各スロットのための循環シフトホッピングパターンを利用して生成され、
各スロットのための循環シフトホッピングパターンは、ＵＥ特定パラメータを利用して取得される、方法。
【請求項２】
前記シーケンスグループ番号を取得することは、
前記仮想セルＩＤを利用して初期化された第１の疑似ランダムシーケンスを生成することと、
前記第１の疑似ランダムシーケンスを利用してグループホッピングパターンを取得することと、
前記仮想セルＩＤを利用してシーケンスシフトパターンを取得することと、
前記グループホッピングパターン及び前記シーケンスシフトパターンを利用して前記シーケンスグループ番号を取得することと
を含む、請求項１に記載の方法。
【請求項３】
前記第１の疑似ランダムシーケンスは、
【数１】
0005781694.tif 000039
で初期化され、ｎＩＤＲＳは、前記仮想セルＩＤである、請求項２に記載の方法。
【請求項４】
前記仮想セルＩＤを利用して前記基本シーケンスの基本シーケンス番号を取得することをさらに含み、
前記基本シーケンスは、前記基本シーケンス番号をさらに利用して生成される、請求項１に記載の方法。
【請求項５】
前記基本シーケンス番号を取得することは、
前記仮想セルＩＤを利用して初期化された第２の疑似ランダムシーケンスを生成することと、
前記第２の疑似ランダムシーケンスを利用して前記基本シーケンス番号を取得することと
を含む、請求項４に記載の方法。
【請求項６】
前記第２の疑似ランダムシーケンスは、
【数２】
0005781694.tif 000040
で初期化され、ｎＩＤＲＳは、前記仮想セルＩＤである、請求項５に記載の方法。
【請求項７】
前記仮想セルＩＤは、前記ｅＮＢから上位階層によって構成される、請求項１に記載の方法。
【請求項８】
前記ＵＥ特定パラメータは、前記仮想セルＩＤに対応する、請求項１に記載の方法。
【請求項９】
各スロットのための循環シフトホッピングパターンを取得することは、
前記仮想セルＩＤを利用して初期化された第３の疑似ランダムシーケンスを生成することと、
前記第３の疑似ランダムシーケンスを利用して各スロットのための循環シフトホッピングパターンを取得することと
を含む、請求項８に記載の方法。
【請求項１０】
前記ｅＮＢは、マクロｅＮＢ又はピコｅＮＢである、請求項１に記載の方法。
【請求項１１】
無線通信システムにおけるＵＥ（ｕｓｅｒ  ｅｑｕｉｐｍｅｎｔ）であって、前記ＵＥは、
無線信号を送信又は受信するＲＦ（ｒａｄｉｏ  ｆｒｅｑｕｅｎｃｙ）部と、
前記ＲＦ部と連結されるプロセッサと
を含み、
前記プロセッサは、
物理的セルＩＤ（ｉｄｅｎｔｉｔｙ）と異なる仮想セルＩＤを構成することと、
前記仮想セルＩＤを利用して基本シーケンスのシーケンスグループ番号を取得することと、
前記シーケンスグループ番号を利用して前記基本シーケンスを生成することと、
前記基本シーケンスを利用して生成された参照信号をｅＮｏｄｅＢ（ｅＮＢ）に送信することと
を実行するように構成され、
前記参照信号は、ＰＵＳＣＨ（ｐｈｙｓｉｃａｌ  ｕｐｌｉｎｋ  ｓｈａｒｅｄ  ｃｈａｎｎｅｌ）のための復調参照信号であり、
前記参照信号は、各スロットのための循環シフトホッピングパターンを利用して生成され、
各スロットのための循環シフトホッピングパターンは、ＵＥ特定パラメータを利用して取得される、ＵＥ。
【発明の詳細な説明】
【技術分野】
【０００１】
本発明は、無線通信に関し、より詳しくは、無線通信システムにおけるアップリンク参照信号送信方法及び装置に関する。
【背景技術】
【０００２】
最近、活発に研究されている次世代マルチメディア無線通信システムは、初期の音声中心のサービスを越えて映像、無線データなどの多様な情報を処理して送信することができるシステムが要求されている。現在、３世帯無線通信システムの以後に開発されている４世帯無線通信は、ダウンリンク１Ｇｂｐｓ（ｇｉｇａｂｉｔｓ  ｐｅｒ  ｓｅｃｏｎｄ）及びアップリンク５００Ｍｂｐｓ（ｍｅｇａｂｉｔｓ  ｐｅｒ  ｓｅｃｏｎｄ）の高速のデータサービスをサポートすることを目標とする。無線通信システムの目的は、多数のユーザが位置と移動性に関係なしに信頼できる（ｒｅｌｉａｂｌｅ）通信を可能にすることである。しかし、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）又は端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために多様な技術が開発されている。
【０００３】
無線通信システムではデータの送／受信、システム同期取得、チャネル情報フィードバックなどのためにアップリンクチャネル又はダウンリンクチャネルを推定する必要がある。無線通信システム環境では多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定又はチャネル状態測定のために、一般的に送受信機が相互間に知っている参照信号（ＲＳ；ｒｅｆｅｒｅｎｃｅ  ｓｉｇｎａｌ）を利用してチャネル推定を実行するようになる。
【０００４】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式とデータ副搬送波間に割り当てる方式とがある。参照信号を全ての副搬送波に割り当てる方式は、チャネル推定性能の利得を得るためにプリアンブル信号のように参照信号のみからなる信号を利用する。これを使用する場合、一般的に参照信号の密度が高いため、データ副搬送波間に参照信号を割り当てる方式に比べてチャネル推定性能が改善されることができる。しかし、データの送信量が減少されるため、データの送信量を増大させるためにはデータ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００５】
受信機は、参照信号の情報を知っているため、受信された信号からこれを分けてチャネルを推定することができ、推定されたチャネル値を補償して送信端から送ったデータを正確に推定することができる。送信機から送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。このとき、参照信号ｐは、受信機が既に知っているため、ＬＳ（ｌｅａｓｔ  ｓｑｕａｒｅ）方式を利用する場合、数式１のようにチャネル情報
【化１】
0005781694.tif 000002
を推定することができる。
【０００６】
【数１】
0005781694.tif 000003
【０００７】
このとき、参照信号ｐを利用して推定したチャネル推定値
【化２】
0005781694.tif 000004
によってその正確度が決定されるようになる。したがって、正確なｈ値の推定のためには、
【化３】
0005781694.tif 000005
が０に収束しなければならず、このためには多くの個数の参照信号を利用してチャネルを推定して
【化４】
0005781694.tif 000006
の影響を最小化しなければならない。優れたチャネル推定性能のための多様なアルゴリズムが存在することができる。
【０００８】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）−Ａ（ａｄｖａｎｃｅｄ）ｒｅｌ−１１で新たな配置シナリオ（ｄｅｐｌｏｙｍｅｎｔ  ｓｃｅｎａｒｉｏ）が論議されることができる。配置シナリオＡは、マクロセル（ｍａｃｒｏ  ｃｅｌｌ）のカバレッジ内の室内及び室外の低電力ＲＲＨ（ｒａｄｉｏ  ｒｅｍｏｔｅ  ｈｅａｄ）で構成されるネットワークを示し、ＲＲＨによって生成される送信／受信ポイントは、マクロセルと同一なセルＩＤを有する。配置シナリオＡは、ＣｏＭＰ（ｃｏｏｒｄｉｎａｔｅｄ  ｍｕｌｔｉ−ｐｏｉｎｔ）シナリオ４ともいう。配置シナリオＢは、室内及び室外の小さいセル（ｓｍａｌｌ  ｃｅｌｌ）でのみ構成されるネットワークを示す。配置シナリオＣは、室内及び室外の低電力ＲＲＨでのみ構成されるネットワークを示し、ＲＲＨによって生成される送信／受信ポイントは、全部同一なセルＩＤを有する。配置シナリオＤは、室内及び室外のカバレッジで小さいセルの異種（ｈｅｔｅｒｏｇｅｎｅｏｕｓ）配置に構成され、マクロセルのカバレッジ内の低電力ＲＲＨは、マクロセルと異なるセルＩＤを有する。配置シナリオＤは、ＣｏＭＰシナリオ３ともいう。
【０００９】
新たな配置シナリオが論議されるにつれてＵＬ  ＤＭＲＳ（ｄｅｍｏｄｕｌａｔｉｏｎ  ｒｅｆｅｒｅｎｃｅ  ｓｉｇｎａｌ）に対する性能向上が要求されることができる。
【発明の概要】
【発明が解決しようとする課題】
【００１０】
本発明の技術的課題は、無線通信システムにおけるアップリンク参照信号送信方法及び装置を提供することである。本発明は、互いに異なるセルに属している互いに異なる端末のＵＬ  ＤＭＲＳの直交性を保障するための仮想セルＩＤ、ＯＣＣ（ｏｒｔｈｏｇｏｎａｌ  ｃｏｖｅｒ  ｃｏｄｅ）、循環シフトなどを適用する方法を提案する。
【課題を解決するための手段】
【００１１】
一態様において、無線通信システムにおけるマクロｅＮＢ（ｅＮｏｄｅＢ）によるアップリンク（ＵＬ；ｕｐｌｉｎｋ）参照信号（ＲＳ；ｒｅｆｅｒｅｎｃｅ  ｓｉｇｎａｌ）を受信する方法が提供される。前記方法は、前記マクロｅＮＢによりサービスされる第１の端末（ＵＥ；ｕｓｅｒ  ｅｑｕｉｐｍｅｎｔ）に第１の指示子を割り当て、前記マクロｅＮＢと同一なセルＩＤ（ｉｄｅｎｔｉｆｉｅｒ）を有して前記マクロｅＮＢのカバレッジ内に存在する、ピコ（ｐｉｃｏ）ｅＮＢによりサービスされる第２のＵＥに第２の指示子を割り当て、前記第１の指示子に基づいて生成された第１のＵＬ  ＲＳを第１の帯域幅を介して前記第１のＵＥから受信し、前記第２の指示子に基づいて生成された第２のＵＬ  ＲＳを前記第１の帯域幅と重なる第２の帯域幅を介して前記第２のＵＥから受信することを含む。
【００１２】
前記第１の指示子と前記第２の指示子は、互いに異なる仮想（ｖｉｒｔｕａｌ）セルＩＤである。
【００１３】
前記第１の指示子と前記第２の指示子は、互いに循環シフト（ｃｙｃｌｉｃ  ｓｈｉｆｔ）である。
【００１４】
前記第１のＵＬ  ＲＳと前記第２のＵＬ  ＲＳは、各々、第１のＵＬ  ＤＭＲＳ（ｄｅｍｏｄｕｌａｔｉｏｎ  ｒｅｆｅｒｅｎｃｅ  ｓｉｇｎａｌ）と第２のＵＬ  ＤＭＲＳである。
【００１５】
前記第１の指示子と前記第２の指示子は、互いに異なるＯＣＣ（ｏｒｔｈｏｇｏｎａｌ  ｃｏｖｅｒ  ｃｏｄｅ）インデックスである。
【００１６】
前記第１のＵＬ  ＲＳと前記第２のＵＬ  ＲＳは、各々、第１のＵＬ  ＳＲＳ（ｓｏｕｎｄｉｎｇ  ｒｅｆｅｒｅｎｃｅ  ｓｉｇｎａｌ）と第２のＵＬ  ＳＲＳである。
【００１７】
前記第１の指示子と前記第２の指示子は、互いに異なる送信コーム（ｔｒａｎｓｍｉｓｓｉｏｎ  ｃｏｍｂ）インデックスである。
【００１８】
前記第１の指示子と前記第２の指示子は、ＰＤＣＣＨ（ｐｈｙｓｉｃａｌ  ｄｏｗｎｌｉｎｋ  ｃｏｎｔｒｏｌ  ｃｈａｎｎｅｌ）を介して割り当てられたり、ＲＲＣ（ｒａｄｉｏ  ｒｅｓｏｕｒｃｅ  ｃｏｎｔｒｏｌ）シグナリングを介して割り当てられる。
【００１９】
前記第１のＵＬ  ＲＳと前記第２のＵＬ  ＲＳの循環シフトホッピングパターン（ｃｙｃｌｉｃ  ｓｈｉｆｔ  ｈｏｐｐｉｎｇ  ｐａｔｔｅｒｎ）は、同じである。
【００２０】
前記第１のＵＬ  ＲＳと前記第２のＵＬ  ＲＳの循環シフトホッピングパターン（ｃｙｃｌｉｃ  ｓｈｉｆｔ  ｈｏｐｐｉｎｇ  ｐａｔｔｅｒｎ）は、同一な前記マクロｅＮＢのセルＩＤ及び前記ピコｅＮＢのセルＩＤに基づいて設定される。
【００２１】
前記第１のＵＬ  ＲＳと前記第２のＵＬ  ＲＳに対してスロット間のシーケンスグループホッピング（ｓｅｑｕｅｎｃｅ  ｇｒｏｕｐ  ｈｏｐｐｉｎｇ）及びシーケンスホッピング（ｓｅｑｕｅｎｃｅ  ｈｏｐｐｉｎｇ）が適用されない。
【００２２】
前記第１の帯域幅の大きさと前記第２の帯域幅の大きさは、互いに異なる。
【００２３】
他の態様において、無線通信システムにおけるアップリンク（ＵＬ；ｕｐｌｉｎｋ）参照信号（ＲＳ；ｒｅｆｅｒｅｎｃｅ  ｓｉｇｎａｌ）を受信するマクロｅＮＢ（ｅＮｏｄｅＢ）が提供される。前記マクロｅＮＢは、無線信号を送信又は受信するＲＦ（ｒａｄｉｏ  ｆｒｅｑｕｅｎｃｙ）部、及び前記ＲＦ部と連結されるプロセッサを含み、前記プロセッサは、前記マクロｅＮＢによりサービスされる第１の端末（ＵＥ；ｕｓｅｒ  ｅｑｕｉｐｍｅｎｔ）に第１の指示子を割り当て、前記マクロｅＮＢと同一なセルＩＤ（ｉｄｅｎｔｉｆｉｅｒ）を有して前記マクロｅＮＢのカバレッジ内に存在する、ピコ（ｐｉｃｏ）ｅＮＢによりサービスされる第２のＵＥに第２の指示子を割り当て、前記第１の指示子に基づいて生成された第１のＵＬ  ＲＳを第１の帯域幅を介して前記第１のＵＥから受信し、前記第２の指示子に基づいて生成された第２のＵＬ  ＲＳを前記第１の帯域幅と重なりながら前記第１の帯域幅と同一でない第２の帯域幅を介して前記第２のＵＥから受信するように構成される。
例えば、本願発明は以下の項目を提供する。
（項目１）
無線通信システムにおけるマクロｅＮＢ（ｅＮｏｄｅＢ）によるアップリンク（ＵＬ；ｕｐｌｉｎｋ）参照信号（ＲＳ；ｒｅｆｅｒｅｎｃｅ  ｓｉｇｎａｌ）を受信する方法において、
前記マクロｅＮＢによりサービスされる第１の端末（ＵＥ；ｕｓｅｒ  ｅｑｕｉｐｍｅｎｔ）に第１の指示子を割り当て、
前記マクロｅＮＢと同一なセルＩＤ（ｉｄｅｎｔｉｆｉｅｒ）を有して前記マクロｅＮＢのカバレッジ内に存在する、ピコ（ｐｉｃｏ）ｅＮＢによりサービスされる第２のＵＥに第２の指示子を割り当て、
前記第１の指示子に基づいて生成された第１のＵＬ  ＲＳを第１の帯域幅を介して前記第１のＵＥから受信し、
前記第２の指示子に基づいて生成された第２のＵＬ  ＲＳを前記第１の帯域幅と重なる第２の帯域幅を介して前記第２のＵＥから受信することを含むことを特徴とする方法。
（項目２）
前記第１の指示子と前記第２の指示子は、互いに異なる仮想（ｖｉｒｔｕａｌ）セルＩＤであることを特徴とする項目１に記載の方法。
（項目３）
前記第１の指示子と前記第２の指示子は、互いに循環シフト（ｃｙｃｌｉｃ  ｓｈｉｆｔ）であることを特徴とする項目１に記載の方法。
（項目４）
前記第１のＵＬ  ＲＳと前記第２のＵＬ  ＲＳは、各々、第１のＵＬ  ＤＭＲＳ（ｄｅｍｏｄｕｌａｔｉｏｎ  ｒｅｆｅｒｅｎｃｅ  ｓｉｇｎａｌ）と第２のＵＬ  ＤＭＲＳであることを特徴とする項目１に記載の方法。
（項目５）
前記第１の指示子と前記第２の指示子は、互いに異なるＯＣＣ（ｏｒｔｈｏｇｏｎａｌ  ｃｏｖｅｒ  ｃｏｄｅ）インデックスであることを特徴とする項目４に記載の方法。
（項目６）
前記互いに異なるＯＣＣインデックスに基づいて前記第１のＵＬ  ＲＳ及び前記第２のＵＬ  ＲＳに互いに異なる長さ２のＯＣＣが適用されることを特徴とする項目５に記載の方法。
（項目７）
前記第１のＵＬ  ＲＳと前記第２のＵＬ  ＲＳの基本シーケンス（ｂａｓｅ  ｓｅｑｕｅｎｃｅ）は、同じであることを特徴とする項目１に記載の方法。
（項目８）
前記第１のＵＬ  ＲＳと前記第２のＵＬ  ＲＳは、各々、第１のＵＬ  ＳＲＳ（ｓｏｕｎｄｉｎｇ  ｒｅｆｅｒｅｎｃｅ  ｓｉｇｎａｌ）と第２のＵＬ  ＳＲＳであることを特徴とする項目１に記載の方法。
（項目９）
前記第１の指示子と前記第２の指示子は、互いに異なる送信コーム（ｔｒａｎｓｍｉｓｓｉｏｎ  ｃｏｍｂ）インデックスであることを特徴とする項目８に記載の方法。
（項目１０）
前記第１の指示子と前記第２の指示子は、ＰＤＣＣＨ（ｐｈｙｓｉｃａｌ  ｄｏｗｎｌｉｎｋ  ｃｏｎｔｒｏｌ  ｃｈａｎｎｅｌ）を介して割り当てられたり、ＲＲＣ（ｒａｄｉｏ  ｒｅｓｏｕｒｃｅ  ｃｏｎｔｒｏｌ）シグナリングを介して割り当てられることを特徴とする項目１に記載の方法。
（項目１１）
前記第１のＵＬ  ＲＳと前記第２のＵＬ  ＲＳの循環シフトホッピングパターン（ｃｙｃｌｉｃ  ｓｈｉｆｔ  ｈｏｐｐｉｎｇ  ｐａｔｔｅｒｎ）は、同じであることを特徴とする項目１に記載の方法。
（項目１２）
前記第１のＵＬ  ＲＳと前記第２のＵＬ  ＲＳの循環シフトホッピングパターン（ｃｙｃｌｉｃ  ｓｈｉｆｔ  ｈｏｐｐｉｎｇ  ｐａｔｔｅｒｎ）は、同一な前記マクロｅＮＢのセルＩＤ及び前記ピコｅＮＢのセルＩＤに基づいて設定されることを特徴とする項目１１に記載の方法。
（項目１３）
前記第１のＵＬ  ＲＳと前記第２のＵＬ  ＲＳに対してスロット間のシーケンスグループホッピング（ｓｅｑｕｅｎｃｅ  ｇｒｏｕｐ  ｈｏｐｐｉｎｇ）及びシーケンスホッピング（ｓｅｑｕｅｎｃｅ  ｈｏｐｐｉｎｇ）が適用されないことを特徴とする項目１に記載の方法。
（項目１４）
前記第１の帯域幅の大きさと前記第２の帯域幅の大きさは、互いに異なることを特徴とする項目１に記載の方法。
（項目１５）
無線通信システムにおけるアップリンク（ＵＬ；ｕｐｌｉｎｋ）参照信号（ＲＳ；ｒｅｆｅｒｅｎｃｅ  ｓｉｇｎａｌ）を受信するマクロｅＮＢ（ｅＮｏｄｅＢ）において、
無線信号を送信又は受信するＲＦ（ｒａｄｉｏ  ｆｒｅｑｕｅｎｃｙ）部；及び、
前記ＲＦ部と連結されるプロセッサ；を含み、
前記プロセッサは、
前記マクロｅＮＢによりサービスされる第１の端末（ＵＥ；ｕｓｅｒ  ｅｑｕｉｐｍｅｎｔ）に第１の指示子を割り当て、
前記マクロｅＮＢと同一なセルＩＤ（ｉｄｅｎｔｉｆｉｅｒ）を有して前記マクロｅＮＢのカバレッジ内に存在する、ピコ（ｐｉｃｏ）ｅＮＢによりサービスされる第２のＵＥに第２の指示子を割り当て、
前記第１の指示子に基づいて生成された第１のＵＬ  ＲＳを第１の帯域幅を介して前記第１のＵＥから受信し、
前記第２の指示子に基づいて生成された第２のＵＬ  ＲＳを前記第１の帯域幅と重なりながら前記第１の帯域幅と同一でない第２の帯域幅を介して前記第２のＵＥから受信するように構成されることを特徴とするマクロｅＮＢ。
【発明の効果】
【００２４】
ＣｏＭＰシナリオ４又はＣｏＭＰシナリオ３において、互いに異なるセルに属している互いに異なる端末のＵＬ  ＤＭＲＳの直交性を保障することができる。
【図面の簡単な説明】
【００２５】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】ＣｏＭＰシナリオ４の配置シナリオの一例を示す。
【図７】複数のＵＥが重なりながら同一でない帯域幅を介してＵＬ  ＲＳを各々送信する場合を示す。
【図８】提案されるアップリンク参照信号送信方法の一実施例を示す。
【図９】ＣｏＭＰシナリオ３の配置シナリオの一例を示す。
【図１０】本発明の実施例が具現される無線通信システムのブロック図である。
【発明を実施するための形態】
【００２６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００２７】
説明を明確にするために、ＬＴＥ−Ａを中心に記述するが、本発明の技術的思想がこれに制限されるものではない。
【００２８】
図１は、無線通信システムである。
【００２９】
無線通信システム１０は、少なくとも一つの基地局（ｂａｓｅ  ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられる。端末（ｕｓｅｒ  ｅｑｕｉｐｍｅｎｔ、ＵＥ）１２は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００３０】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３１】
この技術は、ダウンリンク（ｄｏｗｎｌｉｎｋ）又はアップリンク（ｕｐｌｉｎｋ）に使われることができる。一般的に、ダウンリンクは、基地局１１から端末１２への通信を意味し、アップリンクは、端末１２から基地局１１への通信を意味する。ダウンリンクにおいて、送信機は基地局１１の一部分であり、受信機は端末１２の一部分である。アップリンクにおいて、送信機は端末１２の一部分であり、受信機は基地局１１の一部分である。
【００３２】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームを送信するために使われる物理的又は論理的アンテナを意味し、受信アンテナは、一つの信号又はストリームを受信するために使われる物理的又は論理的アンテナを意味する。
【００３３】
図２は、３ＧＰＰ  ＬＴＥにおける無線フレーム（ｒａｄｉｏ  ｆｒａｍｅ）の構造を示す。
【００３４】
これは３ＧＰＰ（３ｒｄ  Ｇｅｎｅｒａｔｉｏｎ  ｐａｒｔｎｅｒｓｈｉｐ  ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３５】
一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルという。リソースブロック（ＲＢ；ｒｅｓｏｕｒｃｅ  ｂｌｏｃｋ）は、リソース割当単位であり、一つのスロットで複数の連続する副搬送波を含む。前記無線フレームの構造は、一例に過ぎない。したがって、無線フレームに含まれるサブフレームの個数、又はサブフレームに含まれるスロットの個数、又はスロットに含まれるＯＦＤＭシンボルの個数は、多様に変更されることができる。
【００３６】
３ＧＰＰ  ＬＴＥにおいて、ノーマル（ｎｏｒｍａｌ）サイクリックプレフィックス（ＣＰ；ｃｙｃｌｉｃ  ｐｒｅｆｉｘ）における一つのスロットは、７個のＯＦＤＭシンボルを含み、拡張（ｅｘｔｅｎｄｅｄ）ＣＰにおける一つのスロットは、６個のＯＦＤＭシンボルを含むと定義している。
【００３７】
無線通信システムは、大きく、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同一の周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づいた無線通信システムにおいて、ダウンリンクチャネル応答は、アップリンクチャネル応答から得ることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３８】
図３は、一つのダウンリンクスロットに対するリソースグリッド（ｒｅｓｏｕｒｃｅ  ｇｒｉｄ）の一例を示す。
【００３９】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは、６〜１１０のうちいずれか一つである。一つのリソースブロックは、周波数領域で複数の副搬送波を含む。アップリンクスロットの構造も前記ダウンリンクスロットの構造と同様である。
【００４０】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００４１】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００４２】
図４は、ダウンリンクサブフレームの構造を示す。
【００４３】
ダウンリンクサブフレームは、時間領域で２個のスロットを含み、各スロットは、ノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域である。
【００４４】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、端末は、複数のＰＤＣＣＨをモニタリングすることができる。ＰＤＣＣＨは、一つ又は複数個の連続的なＣＣＥ（ｃｏｎｔｒｏｌ  ｃｈａｎｎｅｌ  ｅｌｅｍｅｎｔｓ）の集約（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４５】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨのオーナー（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨの場合、端末の固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ＳＩＢ；ｓｙｓｔｅｍ  ｉｎｆｏｒｍａｔｉｏｎ  ｂｌｏｃｋ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。
【００４６】
図５は、アップリンクサブフレームの構造を示す。
【００４７】
アップリンクサブフレームは、周波数領域で制御領域とデータ領域とに分けられる。前記制御領域は、アップリンク制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。前記データ領域は、データが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、端末は、ＰＵＳＣＨとＰＵＣＣＨの同時送信をサポートすることができる。
【００４８】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４９】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００５０】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００５１】
以下、アップリンク参照信号に対して説明する。
【００５２】
参照信号は、一般的にシーケンスで送信される。参照信号シーケンスは、特別な制限なしに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を利用することができる。
【００５３】
アップリンク参照信号は、復調参照信号（ＤＭＲＳ；ｄｅｍｏｄｕｌａｔｉｏｎ  ｒｅｆｅｒｅｎｃｅ  ｓｉｇｎａｌ）とサウンディング参照信号（ＳＲＳ；ｓｏｕｎｄｉｎｇ  ｒｅｆｅｒｅｎｃｅ  ｓｉｇｎａｌ）とに区分されることができる。ＤＭＲＳは、受信された信号の復調のためのチャネル推定に使われる参照信号である。ＤＭＲＳは、ＰＵＳＣＨ又はＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに利用する。ＳＲＳは、ＰＵＳＣＨ又はＰＵＣＣＨの送信と結合されない。ＤＭＲＳとＳＲＳのために同一な種類の基本シーケンスが使われることができる。一方、アップリンク多重アンテナ送信において、ＤＭＲＳに適用されたプリコーディングは、ＰＵＳＣＨに適用されたプリコーディングと同様である。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。３ＧＰＰ  ＬＴＥ−Ａシステムにおいて、ＳＲＳは、プリコーディングされなくてもよく、アンテナ特定された参照信号であってもよい。
【００５４】
参照信号シーケンスｒｕ，ｖ（α）（ｎ）は、数式２により基本シーケンスｂｕ，ｖ（ｎ）と循環シフトαに基づいて定義されることができる。
【００５５】
【数２】
0005781694.tif 000007
【００５６】
数式２において、ＭｓｃＲＳ＝ｍ＊ＮｓｃＲＢ（１≦ｍ≦ＮＲＢｍａｘ，ＵＬ）は、参照信号シーケンスの長さを示す。ＮｓｃＲＢは、周波数領域で副搬送波の個数で表すリソースブロックの大きさを示し、ＮＲＢｍａｘ，ＵＬは、ＮｓｃＲＢの倍数で表すアップリンク帯域幅の最大値を示す。複数の参照信号シーケンスは、一つの基本シーケンスから循環シフト値であるαを違って適用して定義されることができる。
【００５７】
基本シーケンスｂｕ，ｖ（ｎ）は、複数のグループに分けられ、このとき、ｕ∈｛０，１，．．．，２９｝はグループ番号を示し、ｖはグループ内で基本シーケンス番号を示す。基本シーケンスは基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループ番号ｕとグループ内の基本シーケンス番号ｖは、後述するグループホッピング（ｇｒｏｕｐ  ｈｏｐｐｉｎｇ）又はシーケンスホッピング（ｓｅｑｕｅｎｃｅ  ｈｏｐｐｉｎｇ）のように時間によって変わることができる。
【００５８】
参照信号シーケンスの長さが３ＮｓｃＲＢ又はそれ以上である場合、基本シーケンスは、数式３により定義されることができる。
【００５９】
【数３】
0005781694.tif 000008
【００６０】
数式３において、ｑは、ＺＣ（Ｚａｄｏｆｆ−Ｃｈｕ）シーケンスのルートインデックス（ｒｏｏｔ  ｉｎｄｅｘ）を示す。ＮＺＣＲＳは、ＺＣシーケンスの長さであり、ＭｓｃＲＳより小さい最大素数（ｐｒｉｍｅ  ｎｕｍｂｅｒ）として与えられることができる。ルートインデックスｑであるＺＣシーケンスは、数式４により定義されることができる。
【００６１】
【数４】
0005781694.tif 000009
【００６２】
ｑは、数式５により与えられることができる。
【００６３】
【数５】
0005781694.tif 000010
【００６４】
参照信号シーケンスの長さが３ＮｓｃＲＢ以下である場合、基本シーケンスは、数式６により定義されることができる。
【００６５】
【数６】
0005781694.tif 000011
【００６６】
表１は、ＭｓｃＲＳ＝ＮｓｃＲＢの時、φ（ｎ）を定義した例示である。
【００６７】
【表１】
0005781694.tif 000012
【００６８】
表２は、ＭｓｃＲＳ＝２＊ＮｓｃＲＢの時、φ（ｎ）を定義した例示である。
【００６９】
【表２】
0005781694.tif 000013
【００７０】
参照信号のホッピングは、以下のように適用されることができる。
【００７１】
スロットｎｓのシーケンスグループ番号ｕは、数式７によってグループホッピングパターンｆｇｈ（ｎｓ）とシーケンスシフトパターンｆｓｓに基づいて定義されることができる。
【００７２】
【数７】
0005781694.tif 000014
【００７３】
１７個の互いに異なるグループホッピングパターンと３０個の互いに異なるシーケンスシフトパターンが存在することができる。グループホッピングは、上位階層により提供されるセル特定パラメータであるＧｒｏｕｐ−ｈｏｐｐｉｎｇ−ｅｎａｂｌｅｄパラメータによって適用されることもあり、適用されないこともある。また、ＰＵＳＣＨのためのグループホッピングは、端末特定パラメータであるＤｉｓａｂｌｅ−ｓｅｑｕｅｎｃｅ−ｇｒｏｕｐ−ｈｏｐｐｉｎｇパラメータによって特定ＵＥに対しては適用されないこともある。ＰＵＣＣＨとＰＵＳＣＨは、同一なグループホッピングパターンを有することができ、互いに異なるシーケンスシフトパターンを有することができる。
【００７４】
グループホッピングパターンｆｇｈ（ｎｓ）は、ＰＵＳＣＨとＰＵＣＣＨに対して同じであり、数式８により定義されることができる。
【００７５】
【数８】
0005781694.tif 000015
【００７６】
数式８において、ｃ（ｉ）は、ＰＮシーケンスである疑似ランダムシーケンス（ｐｓｅｕｄｏ−ｒａｎｄｏｍ  ｓｅｑｕｅｎｃｅ）であり、長さ−３１のゴールド（Ｇｏｌｄ）シーケンスにより定義されることができる。数式９は、ゴールドシーケンスｃ（ｎ）の一例を示す。
【００７７】
【数９】
0005781694.tif 000016
【００７８】
ここで、Ｎｃ＝１６００であり、ｘ１（ｉ）は第１のｍ−シーケンスであり、ｘ２（ｉ）は第２のｍ−シーケンスである。疑似ランダムシーケンス生成器は、各無線フレームのはじめで
【化５】
0005781694.tif 000017
で初期化されることができる。
【００７９】
シーケンスシフトパターンｆｓｓの定義は、ＰＵＣＣＨとＰＵＳＣＨに対して互いに異なる。ＰＵＣＣＨのシーケンスシフトパターンｆｓｓＰＵＣＣＨ＝ＮＩＤｃｅｌｌｍｏｄ３０として与えられることができる。ＰＵＳＣＨのシーケンスシフトパターンｆｓｓＰＵＳＣＨ＝（ｆｓｓＰＵＣＣＨ＋Δｓｓ）ｍｏｄ３０として与えられることができ、Δｓｓ∈｛０，１，．．．，２９｝は、上位階層によって構成されることができる。
【００８０】
シーケンスホッピングは、長さが６ＮｓｃＲＢより長い参照信号シーケンスにのみ適用されることができる。長さが６ＮｓｃＲＢより短い参照信号シーケンスに対して、基本シーケンスグループ内での基本シーケンス番号ｖ＝０として与えられる。長さが６ＮｓｃＲＢより長い参照信号シーケンスに対して、スロットｎｓで基本シーケンスグループ内での基本シーケンス番号ｖは、数式１０により定義されることができる。
【００８１】
【数１０】
0005781694.tif 000018
【００８２】
ｃ（ｉ）は、数式９の例示により表現されることができる。シーケンスホッピングは、上位階層により提供されるセル特定パラメータであるＳｅｑｕｅｎｃｅ−ｈｏｐｐｉｎｇ−ｅｎａｂｌｅｄパラメータによって適用されることもあり、適用されないこともある。また、ＰＵＳＣＨのためのシーケンスホッピングは、端末特定パラメータであるＤｉｓａｂｌｅ−ｓｅｑｕｅｎｃｅ−ｇｒｏｕｐ−ｈｏｐｐｉｎｇパラメータによって特定ＵＥに対しては適用されないこともある。疑似ランダムシーケンス生成器は、各無線フレームのはじめで
【化６】
0005781694.tif 000019
で初期化されることができる。
【００８３】
レイヤλ（０，１，．．．，γ−１）によるＰＵＳＣＨ  ＤＭＲＳシーケンスｒＰＵＳＣＨ（λ）（．）は、数式１１により定義されることができる。
【００８４】
【数１１】
0005781694.tif 000020
【００８５】
数式１１において、ｍ＝０，１，．．．であり、ｎ＝０，．．．，ＭｓｃＲＳ  −１である。ＭｓｃＲＳ＝ＭｓｃＰＵＳＣＨである。直交シーケンス（ｏｒｔｈｏｇｏｎａｌ  ｓｅｑｕｅｎｃｅ）ｗ（λ）（ｍ）は、後述する表４によって決定されることができる。
【００８６】
スロットｎｓで循環シフトα＝２πｎｃｓ／１２として与えられ、ｎｃｓは、数式１２により定義されることができる。
【００８７】
【数１２】
0005781694.tif 000021
【００８８】
数式１２において、ｎＤＭＲＳ（１）は、上位階層により提供されるｃｙｃｌｉｃＳｈｉｆｔパラメータによって決定されることができる。表３は、ｃｙｃｌｉｃＳｈｉｆｔパラメータによって決定されるｎＤＭＲＳ（１）の例示を示す。
【００８９】
【表３】
0005781694.tif 000022
【００９０】
また、数式１２において、ｎＤＭＲＳ，λ（２）は、対応されるＰＵＳＣＨ送信によるトランスポートブロックのためのＤＣＩフォーマット０内のＤＭＲＳ循環シフトフィールド（ｃｙｃｌｉｃ  ｓｈｉｆｔ  ｆｉｅｌｄ）によって決定されることができる。表４は、前記ＤＭＲＳ循環シフトフィールドによって決定されるｎＤＭＲＳ，λ（２）の例示である。
【００９１】
【表４】
0005781694.tif 000023
【００９２】
ｎＰＮ（ｎｓ）は、数式１３により定義されることができる。
【００９３】
【数１３】
0005781694.tif 000024
【００９４】
ｃ（ｉ）は、数式９の例示により表現されることができ、ｃ（ｉ）のセル別に（ｃｅｌｌ−ｓｐｅｃｉｆｉｃ）適用されることができる。疑似ランダムシーケンス生成器は、各無線フレームのはじめで
【化７】
0005781694.tif 000025
で初期化されることができる。
【００９５】
参照信号のベクトル（ｖｅｃｔｏｒ）は、数式１４によってプリコーディングされることができる。
【００９６】
【数１４】
0005781694.tif 000026
【００９７】
数式１４において、Ｐは、ＰＵＳＣＨ送信のために使われるアンテナポートの個数である。Ｗは、プリコーディング行列である。単一アンテナポートを使用するＰＳＵＣＨ送信に対してＰ＝１、Ｗ＝１、γ＝１である。また、空間多重化（ｓｐａｔｉａｌ  ｍｕｌｔｉｐｌｅｘｉｎｇ）に対してＰ＝２又は４である。
【００９８】
ＰＵＳＣＨ送信に使われる各アンテナポートに対して、ＤＭＲＳシーケンスは、振幅スケーリング因子（ａｍｐｌｉｔｕｄｅ  ｓｃａｌｉｎｇ  ｆａｃｔｏｒ）βＰＵＳＣＨとかけられ、リソースブロックに順序通りにマッピングされる。マッピング時に使われる物理リソースブロックの集合は、対応されるＰＵＳＣＨ送信に使われる物理リソースブロックの集合と同じである。サブフレーム内で前記ＤＭＲＳシーケンスは、まず、周波数領域で増加する方向に、そして、スロット番号が増加する方向に、リソース要素にマッピングされることができる。ＤＭＲＳシーケンスは、ノーマルＣＰの場合、４番目のＳＣ−ＦＤＭＡシンボル（ＳＣ−ＦＤＭＡシンボルインデックス３）、拡張ＣＰの場合、３番目のＳＣ−ＦＤＭＡシンボル（ＳＣ−ＦＤＭＡシンボルインデックス２）にマッピングされることができる。
【００９９】
以下、提案されるアップリンク参照信号送信方法に対して説明する。
【０１００】
ＬＴＥ−Ａ  ｒｅｌ−１１で新たな配置シナリオが論議されるにつれてＵＬ  ＤＭＲＳに対する性能向上が要求されることができる。特に、ＵＬ  ＤＭＲＳの性能向上のために、新たに導入される配置シナリオでＵＬ  ＤＭＲＳのシーケンスグループ割当が論議されることができる。新たな配置シナリオでＵＬ  ＤＭＲＳのシーケンスグループは、前述したようにセル特定の方式に割り当てられ、又は全てのＵＬ  ＤＭＲＳに対して同一なシーケンスグループが割り当てられることができる。二つの互いに異なるＵＬ  ＤＭＲＳのシーケンスグループ割当方法の性能を比較するために、セル特定シーケンスグループ割当方法と単一シーケンスグループ割当方法の交差相関（ｃｒｏｓｓ−ｃｏｒｒｅｌａｔｉｏｎ）特性が測定されることができる。複数のセルで単一シーケンスグループ割当方法は、互いに異なる長さのＤＭＲＳシーケンス間で深刻なセル間干渉（ｉｎｔｅｒ−ｃｅｌｌ  ｉｎｔｅｒｆｅｒｅｎｃｅ）を起こすことができる。これは互いに異なる長さのＤＭＲＳシーケンス間で高い相関関係を有するＤＭＲＳシーケンスが単一シーケンスグループにグルーピングされるためである。
【０１０１】
したがって、単一シーケンスグループ割当方法よりセル特定シーケンスグループ割当方法を適用することがより好ましい。特に、配置シナリオＢ又はＤなどの配置シナリオでセル特定シーケンスグループ割当方法によってＵＬ  ＤＭＲＳの性能が向上することができる。しかし、配置シナリオＡ又はＣのようにマクロセルと複数のＲＲＨが同一なセルＩＤを有する場合には、セル特定シーケンスグループ割当方法が単一シーケンスグループ割当方法と同一な性能を出すことができる。即ち、配置シナリオＡ又はＣではセル特定シーケンスグループ割当方法もＵＬ  ＤＭＲＳシーケンス間の高い交差相関のため深刻なセル間干渉を起こすことができる。配置シナリオＡ又はＣで互いに異なるＵＥが同一なセルＩＤを有する互いに異なるノード又はＲＲＨに各々属している。各ＵＥは、重なりながら互いに異なる大きさのＲＢ上にＵＬ  ＤＭＲＳを使用してＵＬ送信を実行することができる。各ＵＥに対するＵＬ復調性能は、互いに異なる長さのＵＬ  ＤＭＲＳシーケンス間の高い相関関係により発生するマルチユーザ干渉（ｍｕｌｔｉ−ｕｓｅｒ  ｉｎｔｅｒｆｅｒｅｎｃｅ）によって劣化されることができる。したがって、新たに導入される配置シナリオでＵＬ  ＤＭＲＳの直交性（ｏｒｔｈｏｇｏｎａｌｉｔｙ）の向上のための方法が提案されることができる。
【０１０２】
前述した問題を解決するために本発明によって多様な方法が提案されることができる。
【０１０３】
１）循環シフト適用：互いに異なる長さのＵＬ  ＤＭＲＳシーケンス間の高い相関関係を減らすために循環シフトが適用されることができる。しかし、セルの個数が増えるにつれて互いに異なる長さのＵＬ  ＤＭＲＳシーケンス及び互いに異なるシーケンスグループを含む組合せ間に適切な循環シフト対を探すことが難しい。また、循環シフト対が存在するとしてもスケジューリングに制限がある。
【０１０４】
２）ＯＣＣ（ｏｒｔｈｏｇｏｎａｌ  ｃｏｖｅｒ  ｃｏｄｅ）適用：互いに異なる帯域幅を有する互いに異なるＵＥ間のＵＬ  ＤＭＲＳの直交性を維持するために、ＯＣＣを適用することができる。これによって、互いに異なるノード又はＲＲＨに属し、互いに異なる帯域幅を有するＵＥ間のＵＬ  ＤＭＲＳの直交性が追加的なメカニズム又はシグナリングなしに保障されることができる。基地局は、互いに異なる長さのＵＬ  ＤＭＲＳシーケンスにＵＬ  ＤＣＩフォーマット内の循環シフトインデックスによって暗黙的に（ｉｍｐｌｉｃｉｔｌｙ）指示される互いに異なるＯＣＣを割り当てることができる。または、基地局は、互いに異なる長さのＵＬ  ＤＭＲＳシーケンスにＯＣＣインデックスによって指示される互いに異なるＯＣＣを割り当てることができ、各ＯＣＣインデックスは、独立的に構成されて明示的に（ｅｘｐｌｉｃｉｔｌｙ）送信されることができる。各ＵＬ  ＤＭＲＳシーケンスに対応されるＯＣＣインデックスは、ＰＤＣＣＨを介して動的に（ｄｙｎａｍｉｃａｌｌｙ）シグナリングされ、ＲＲＣ（ｒａｄｉｏ  ｒｅｓｏｕｒｃｅ  ｃｏｎｔｒｏｌ）シグナリングされることができる。また、互いに異なるノード又は互いに異なるＲＲＨに属する異なるＵＥ間のＤＭＲＳ多重化のために端末特定パラメータであるＤｉｓａｂｌｅ−ｓｅｑｕｅｎｃｅ−ｇｒｏｕｐ−ｈｏｐｐｉｎｇパラメータをｅｎａｂｌｅに設定する必要がある。即ち、サブフレームの各スロットに割り当てられるＵＬ  ＤＭＲＳシーケンスにグループホッピング又はシーケンスホッピングが適用されないように設定することによって、互いに異なるノード又は互いに異なるＲＲＨに属するＵＥがＯＣＣに基づいてＤＭＲＳ多重化されることができる。
【０１０５】
３）ＩＦＤＭＡ（ｉｎｔｅｒｌｅａｖｅｄ  ｆｒｅｑｕｅｎｃｙ  ｄｉｖｉｓｉｏｎ  ｍｕｌｔｉｐｌｅ  ａｃｃｅｓｓ）適用：ＵＬ  ＳＲＳ送信のようにＵＬ  ＤＭＲＳに互いに異なる送信コーム（ｔｒａｎｓｍｉｓｓｉｏｎ  ｃｏｍｂ）値を使用することによって、同一なセルＩＤを有する互いに異なるノード又は互いに異なるＲＲＨに属するＵＥ間の帯域幅が異なるＵＬ  ＤＭＲＳシーケンスが周波数領域で分離されることができる。しかし、ＩＦＤＭＡを適用するために長さが６、１８又は３０などの新たなシーケンスが設計される必要があり、これは既存のＬＴＥ  ｒｅｌ−８／９／１０に存在しない方式である。
【０１０６】
４）仮想セルＩＤ割当：互いに異なるノード又は互いに異なるＲＲＨに属する異なるＵＥ間にＤＭＲＳ多重化のために、各ＵＥが属するセルＩＤでない仮想セルＩＤを各ＵＥに割り当てることができる。前記仮想セルＩＤは、前記各ＵＥが属するセルＩＤでないセルＩＤであり、又はセルＩＤとして割り当てられないセルＩＤであり、又は特定シナリオのために予め留保されたセルＩＤである。該当ＵＥのＵＬ  ＤＭＲＳに対するシーケンスグループは、セルＩＤでない互いに異なる仮想セルＩＤに基づいて割り当てられ、これによって、各ＵＥのＵＬ  ＤＭＲＳに対して互いに異なるシーケンスグループの割当が可能である。したがって、互いに異なる長さのＵＬ  ＤＭＲＳシーケンス間の高い相関関係を減らすことができる。
【０１０７】
以下、前述した互いに異なる長さのＵＬ  ＲＳシーケンスの直交性を維持するための多様な方法を具体的な配置シナリオによって説明する。以下の説明において、ＵＬ  ＲＳは、ＵＬ  ＤＭＲＳとＵＬ  ＳＲＳを含む。まず、配置シナリオＡ、即ち、ＣｏＭＰシナリオ４で提案されるアップリンク参照信号送信方法を適用する場合を説明する。
【０１０８】
図６は、ＣｏＭＰシナリオ４の配置シナリオの一例を示す。
【０１０９】
図６を参照すると、マクロｅＮＢは、マクロセルカバレッジを提供する。複数のピコ（ｐｉｃｏ）ｅＮＢは、マクロセルカバレッジ内に存在する。マクロｅＮＢと複数のピコｅＮＢは、同一なセルＩＤを有する。ＵＥは、ＣｏＭＰ送信を実行するＣｏＭＰ  ＵＥとＣｏＭＰ送信を実行しない非ＣｏＭＰ  ＵＥとに区分されることができる。ＣｏＭＰ  ＵＥは、ダウンリンクＣｏＭＰ送信によって複数のｅＮＢから信号を受信することができ、アップリンクＣｏＭＰ送信によって複数のｅＮＢに信号を送信することができる。図６は、ＵＥが複数のｅＮＢに信号を送信するアップリンクＣｏＭＰ送信の一例を示す。ｅＮＢは、複数のＵＥから送信される信号を受信する。マクロｅＮＢが複数のＵＥから受信する信号は、ランダム化（ｒａｎｄｏｍｉｚａｔｉｏｎ）されることができる。また、複数のＵＥが周波数領域で同一な位置にある同一な帯域幅を介して各々送信するＵＬ  ＲＳは、互いに異なる循環シフトによって直交性が維持されることができる。
【０１１０】
図７は、複数のＵＥが重なりながら同一でない帯域幅を介してＵＬ  ＲＳを各々送信する場合を示す。
【０１１１】
図７において、第１のＵＥは、ＣｏＭＰ  ＵＥ又は非ＣｏＭＰ  ＵＥのうちいずれか一つである。また、第２のＵＥは、ＣｏＭＰ  ＵＥ又は非ＣｏＭＰ  ＵＥのうちいずれか一つである。第１のＵＥが送信するＵＬ  ＲＳの帯域幅と第２のＵＥが送信するＵＬ  ＲＳの帯域幅は、周波数領域で互いに重なり、同じでない。第１のＵＥと第２のＵＥが同一なセルＩＤを有する互いに異なるノード又は互いに異なるＲＲＨに各々属する場合、第１のＵＥのＵＬ  ＲＳと第２のＵＥのＵＬ  ＲＳとの間に高い相関関係が発生できる。これによって、ＵＥが直交性を有するＵＬ  ＲＳによって得ることができるＵＬ性能に大きい劣化が発生できる。したがって、これを解決するための方法が要求される。
【０１１２】
１）複数のＵＥが各々送信するＵＬ  ＲＳが同一な帯域幅を介して送信されるか、又は重なる互いに異なる帯域幅を介して送信されるかに関係なしに、各ＵＬ  ＲＳのシーケンスグループは、仮想セルＩＤを介して割り当てられることができる。これによって、複数のＵＥが重なりながら互いに異なる帯域幅を介してＵＬ  ＲＳを送信する場合、各ＵＬ  ＲＳに互いに異なるシーケンスグループが割り当てられるにつれて直交性が維持されることができる。
【０１１３】
２）複数のＵＥが各々送信するＵＬ  ＲＳが同一な帯域幅を介して送信される場合には、各ＵＬ  ＲＳに互いに異なる循環シフトを割り当て、複数のＵＥが各々送信するＵＬ  ＲＳが重なりながら互いに異なる帯域幅を介して送信される場合には、各ＵＬ  ＲＳに仮想セルＩＤを介してシーケンスグループを割り当てることができる。仮想セルＩＤに基づいて割り当てられたシーケンスグループは、ＵＬ  ＤＭＲＳシーケンスとＵＬ  ＳＲＳシーケンスの両方ともに適用されることができる。また、複数のＵＥが重なりながら互いに異なる帯域幅を介してＵＬ  ＤＭＲＳを各々送信する場合、追加的に各ＵＥに互いに異なるＯＣＣが割り当てられることができる。即ち、２個のスロットで各々一つのＳＣ−ＦＤＭＡシンボルにマッピングされたＵＬ  ＤＭＲＳに対して、互いに異なるＵＥのＵＬ  ＤＭＲＳに長さが２である互いに異なるＯＣＣを適用することができる。これによって、互いに異なるＵＥのＵＬ  ＤＭＲＳ間の直交性を向上させることができる。このとき、ＵＬ  ＤＭＲＳのスロット間の循環シフトホッピングパターン（ｃｙｃｌｉｃ  ｓｈｉｆｔ  ｈｏｐｐｉｎｇ  ｐａｔｔｅｒｎ）は、仮想セルＩＤでない既存のセルＩＤに基づいて設定されるようにすることができる。即ち、仮想セルＩＤは、ＵＬ  ＤＭＲＳの基本シーケンスを生成するときにのみ適用し、スロット間の循環シフトホッピングパターンは、既存のセルＩＤに基づいて設定されるようにすることができる。
【０１１４】
３）複数のＵＥが各々送信するＵＬ  ＲＳが同一な帯域幅を介して送信される場合には、前述したように各ＵＬ  ＲＳに互いに異なる循環シフトを割り当てる。複数のＵＥが各々送信するＵＬ  ＤＭＲＳが重なりながら互いに異なる帯域幅を介して送信される場合には、各ＵＬ  ＤＭＲＳに互いに異なるＯＣＣを割り当てることができる。即ち、２個のスロットで各々一つのＳＣ−ＦＤＭＡシンボルにマッピングされたＵＬ  ＤＭＲＳに対して、互いに異なるＵＥのＵＬ  ＤＭＲＳに長さが２である互いに異なるＯＣＣを適用することができる。各ＯＣＣは、ＯＣＣインデックスに対応される。各ＵＥに割り当てられるＯＣＣインデックスは、ＰＤＣＣＨを介して明示的にシグナリングされることができる。即ち、ＯＣＣインデックスは、ＵＬ  ＤＣＩフォーマット内に追加されてＰＤＣＣＨを介してシグナリングされることができる。ＯＣＣインデックスは、ＵＬ  ＤＣＩフォーマット内の追加的な１ビットで構成されることができる。または、ＯＣＣインデックスは、ＲＲＣシグナリングされることができる。または、ＯＣＣインデックスは、暗黙的に指示されることができる。例えば、ＬＴＥ  ｒｅｌ−１０でレイヤ間の多重化のために使用する方法と同様に、各ＵＥに互いに異なるＣＳＩインデックスを割り当てることによって、互いに異なるＯＣＣが割り当てられることを指示することができる。
【０１１５】
一方、ＵＬ  ＳＲＳは、ＵＬ  ＤＭＲＳと違って、一つのサブフレームの最後のＳＣ−ＦＤＭＡシンボルにのみマッピングされるため、複数のＵＥが各々送信するＵＬ  ＳＲＳが重なりながら互いに異なる帯域幅を介して送信される場合、各ＵＬ  ＳＲＳに互いに異なるＯＣＣを割り当てることができない。しかし、ＵＬ  ＳＲＳは、ＵＬ  ＤＭＲＳと違って、反復因子（ｒｅｐｅｔｉｔｉｏｎ  ｆａｃｔｏｒ）２を使用する送信コーム（０又は１）を利用して複数のＵＥのＵＬ  ＳＲＳを一つのＳＲＳシンボル内で互いに異なる周波数領域に割り当てることができる。このとき、各ＵＬ  ＳＲＳは、奇数番目の副搬送波に割り当てられることもでき、偶数番目の副搬送波に割り当てられることもできる。したがって、複数のＵＥが各々送信するＵＬ  ＳＲＳが重なりながら互いに異なる帯域幅を介して送信される場合には、各ＵＬ  ＳＲＳに互いに異なる送信コームを割り当てることができる。各送信コームは、送信コームインデックスに対応される。各ＵＥに割り当てられる送信コームインデックスは、ＰＤＣＣＨを介して明示的にシグナリングされることができる。即ち、送信コームインデックスは、ＵＬ  ＤＣＩフォーマット内に追加されてＰＤＣＣＨを介してシグナリングされることができる。または、送信コームインデックスは、ＲＲＣシグナリングされることができる。または、送信コームインデックスは、暗黙的に指示されることができる。例えば、ＬＴＥ  ｒｅｌ−１０でＳＲＳアンテナポート間の多重化のために使用する方法と同様に、該当ｎＳＲＳｃｓによる送信コームを設定するようにすることで、互いに異なる送信コームが割り当てられることを指示することができる。
【０１１６】
図８は、提案されるアップリンク参照信号送信方法の一実施例を示す。
【０１１７】
基地局は、ステップＳ１００において、第１のＵＥに第１の指示子を割り当て、ステップＳ１０１において、第２のＵＥに第２の指示子を割り当てる。第１の指示子及び第２の指示子は、以上の説明でＵＬ  ＲＳの直交性を維持するために適用される方法によって要求される互いに異なる循環シフト、互いに異なる仮想セルＩＤ、互いに異なるＯＣＣインデックス又は互いに異なる送信コームのうちいずれか一つである。即ち、複数のＵＥが各々送信するＵＬ  ＲＳが重なりながら互いに異なる帯域幅を介して送信され、仮想セルＩＤに基づいて生成される場合、前記第１の指示子及び前記第２の指示子は、互いに異なる仮想セルＩＤである。または、複数のＵＥが各々送信するＵＬ  ＤＭＲＳが重なりながら互いに異なる帯域幅を介して送信され、各ＵＥに互いに異なるＯＣＣが割り当てられる場合、前記第１の指示子及び前記第２の指示子は、互いに異なるＯＣＣインデックスである。複数のＵＥが各々送信するＵＬ  ＳＲＳが重なりながら互いに異なる帯域幅を介して送信され、各ＵＥに互いに異なる送信コームが割り当てられる場合、前記第１の指示子及び前記第２の指示子は、互いに異なる送信コームインデックスである。
【０１１８】
ステップＳ１１０において、第１のＵＥは、第１の指示子に基づいて第１のＵＬ  ＲＳを生成し、ステップＳ１１１において、第２のＵＥは、第２の指示子に基づいて第２のＵＬ  ＲＳを生成する。ステップＳ１２０及びステップＳ１２１において、第１のＵＥ及び第２のＵＥは、各々生成された第１のＵＬ  ＲＳ及び第２のＵＬ  ＲＳを基地局に送信する。
【０１１９】
以下、配置シナリオＤ、即ち、ＣｏＭＰシナリオ３で提案されるアップリンク参照信号送信方法を適用する場合を説明する。
【０１２０】
図９は、ＣｏＭＰシナリオ３の配置シナリオの一例を示す。
【０１２１】
図９を参照すると、ＣｏＭＰシナリオ３は、互いに異なるセルＩＤを有する異種ネットワークである。マクロｅＮＢは、マクロセルカバレッジを提供する。図９において、マクロｅＮＢは、セルＩＤ＃１を有する。少なくとも一つのピコｅＮＢは、マクロセルカバレッジ内に存在する。図９において、ピコｅＮＢは、セルＩＤ＃２を有する。即ち、マクロｅＮＢとピコｅＮＢが互いに異なるセルＩＤを有する。ＣｏＭＰシナリオ３で、ＣｏＭＰ  ＵＥは、マクロｅＮＢ及びピコｅＮＢとＣｏＭＰ送信を実行することができる。図９は、ＣｏＭＰ  ＵＥがマクロｅＮＢとピコｅＮＢに信号を送信するアップリンクＣｏＭＰ送信の一例を示す。
【０１２２】
図９のようなＣｏＭＰシナリオ３では複数のＵＥが重なりながら互いに異なる帯域幅を介して各々ＵＬ  ＲＳを送信するとしても、互いに異なるセルＩＤに基づいてＵＬ  ＲＳシーケンスが生成されるため、ＵＬ  ＲＳシーケンス間に高い相関関係が発生しない。即ち、複数のＵＥが送信するＵＬ  ＲＳは、互いに非直交する。しかし、ＣｏＭＰ  ＵＥがアップリンクＣｏＭＰ送信を実行する場合、セル間のＵＬ  ＲＳの直交性によって性能利得（ｐｅｒｆｏｒｍａｎｃｅ  ｇａｉｎ）が向上することができる。これによって、ＣｏＭＰシナリオ３でも複数のＵＥが送信するＵＬ  ＲＳ間に直交性を保障するための方法が要求されることができる。
【０１２３】
１）複数のＵＥが各々送信するＵＬ  ＲＳが同一な帯域幅を介して送信されるか、又は重なる互いに異なる帯域幅を介して送信されるかに関係なしに、各ＵＬ  ＲＳのシーケンスグループは、仮想セルＩＤを介して割り当てられることができる。これによって、複数のＵＥが重なりながら互いに異なる帯域幅を介してＵＬ  ＲＳを送信する場合、各ＵＬ  ＲＳに互いに異なるシーケンスグループが割り当てられるにつれて直交性が維持されることができる。
【０１２４】
２）複数のＵＥが各々送信するＵＬ  ＲＳが同一な帯域幅を介して送信される場合には、各ＵＬ  ＲＳに互いに異なる仮想セルＩＤを割り当てる。互いに異なる仮想セルＩＤによって複数のＵＥが各々送信するＵＬ  ＲＳに互いに異なるシーケンスグループが割り当てられることができる。仮想セルＩＤは、ＰＤＣＣＨを介してシグナリングされ、又はＲＲＣシグナリングされることができる。
【０１２５】
複数のＵＥが各々送信するＵＬ  ＲＳが重なりながら互いに異なる帯域幅を介して送信される場合には、各ＵＬ  ＲＳに互いに異なる循環シフトが割り当てられることができる。また、複数のＵＥが重なりながら互いに異なる帯域幅を介してＵＬ  ＤＭＲＳを各々送信する場合、追加的に各ＵＥに互いに異なるＯＣＣが割り当てられることができる。即ち、２個のスロットで各々一つのＳＣ−ＦＤＭＡシンボルにマッピングされたＵＬ  ＤＭＲＳに対して、互いに異なるＵＥのＵＬ  ＤＭＲＳに長さが２である互いに異なるＯＣＣを適用することができる。このとき、ＵＬ  ＤＭＲＳのスロット間の循環シフトホッピングパターンは、仮想セルＩＤに基づいて設定されるようにすることができる。または、ＵＬ  ＤＭＲＳのスロット間の循環シフトホッピングが適用されないこともある。また、ＵＬ  ＤＭＲＳのスロット間のグループホッピング及びシーケンスホッピングも適用されないこともある。
【０１２６】
各ＯＣＣは、ＯＣＣインデックスに対応される。各ＵＥに割り当てられるＯＣＣインデックスは、ＰＤＣＣＨを介して明示的にシグナリングされることができる。即ち、ＯＣＣインデックスは、ＵＬ  ＤＣＩフォーマット内に追加されてＰＤＣＣＨを介してシグナリングされることができる。ＯＣＣインデックスは、ＵＬ  ＤＣＩフォーマット内の追加的な１ビットで構成されることができる。または、ＯＣＣインデックスは、ＲＲＣシグナリングされることができる。または、ＯＣＣインデックスは、暗黙的に指示されることができる。例えば、ＬＴＥ  ｒｅｌ−１０でレイヤ間の多重化のために使用する方法と同様に、各ＵＥに互いに異なるＣＳＩインデックスを割り当てることによって、互いに異なるＯＣＣが割り当てられることを指示することができる。
【０１２７】
複数のＵＥが各々送信するＵＬ  ＳＲＳが重なりながら互いに異なる帯域幅を介して送信される場合には、各ＵＬ  ＳＲＳに互いに異なる送信コームを割り当てることができる。各送信コームは、送信コームインデックスに対応される。各ＵＥに割り当てられる送信コームインデックスは、ＰＤＣＣＨを介して明示的にシグナリングされることができる。即ち、送信コームインデックスは、ＵＬ  ＤＣＩフォーマット内に追加されてＰＤＣＣＨを介してシグナリングされることができる。または、送信コームインデックスは、ＲＲＣシグナリングされることができる。または、送信コームインデックスは、暗黙的に指示されることができる。例えば、ＬＴＥ  ｒｅｌ−１０でＳＲＳアンテナポート間の多重化のために使用する方法と同様に、該当ｎＳＲＳｃｓによる送信コームを設定するようにすることで、互いに異なる送信コームが割り当てられることを指示することができる。
【０１２８】
３）各ＵＬ  ＤＭＲＳに互いに異なるＯＣＣが割り当てられることができる。即ち、２個のスロットで各々一つのＳＣ−ＦＤＭＡシンボルにマッピングされたＵＬ  ＤＭＲＳに対して、互いに異なるＵＥのＵＬ  ＤＭＲＳに長さが２である互いに異なるＯＣＣを適用することができる。このとき、ＵＬ  ＤＭＲＳのスロット間の循環シフトホッピングが適用されないこともある。また、ＵＬ  ＤＭＲＳのスロット間のグループホッピング及びシーケンスホッピングも適用されないこともある。各ＯＣＣは、ＯＣＣインデックスに対応される。各ＵＥに割り当てられるＯＣＣインデックスは、ＰＤＣＣＨを介して明示的にシグナリングされることができる。即ち、ＯＣＣインデックスは、ＵＬ  ＤＣＩフォーマット内に追加されてＰＤＣＣＨを介してシグナリングされることができる。ＯＣＣインデックスは、ＵＬ  ＤＣＩフォーマット内の追加的な１ビットで構成されることができる。または、ＯＣＣインデックスは、ＲＲＣシグナリングされることができる。または、ＯＣＣインデックスは、暗黙的に指示されることができる。例えば、ＬＴＥ  ｒｅｌ−１０でレイヤ間の多重化のために使用する方法と同様に、各ＵＥに互いに異なるＣＳＩインデックスを割り当てることによって、互いに異なるＯＣＣが割り当てられることを指示することができる。
【０１２９】
一方、以上の説明で互いに異なるノード又は互いに異なるＲＲＨに属する異なるＵＥ間のＤＭＲＳ多重化のために端末特定パラメータであるＤｉｓａｂｌｅ−ｓｅｑｕｅｎｃｅ−ｇｒｏｕｐ−ｈｏｐｐｉｎｇパラメータをｅｎａｂｌｅに設定されると仮定する。即ち、スロット間のＵＬ  ＲＳの基本シーケンスは変化しないと仮定する。サブフレームの各スロットに割り当てられるＵＬ  ＤＭＲＳシーケンスにグループホッピング又はシーケンスホッピングが適用されないように設定することによって、互いに異なるノード又は互いに異なるＲＲＨに属するＵＥがＯＣＣに基づいてＤＭＲＳ多重化されることができる。
【０１３０】
以下の説明は、セル間ＲＳの直交性を保障するためのグループホッピング、シーケンスホッピング、及び循環シフトホッピング設定方法の数学的分析である。
【０１３１】
周波数領域で第１のＲＢ（ＲＢ１）に割り当てられる第１の端末の第１のＵＬ  ＤＭＲＳは、スロットによって数式１５で表現することができる。
【０１３２】
【数１５】
0005781694.tif 000027
【０１３３】
周波数領域で第２のＲＢ（ＲＢ２）に割り当てられる第２の端末の第２のＵＬ  ＤＭＲＳは、スロットによって数式１６で表現することができる。
【０１３４】
【数１６】
0005781694.tif 000028
【０１３５】
第１のＵＬ  ＤＭＲＳと第２のＵＬ  ＤＭＲＳが周波数領域で互いに重なる場合、第１のスロットでの受信信号Ｙｓ１と第２のスロットでの受信信号Ｙｓ２は、数式１７で表すことができる。
【０１３６】
【数１７】
0005781694.tif 000029
【０１３７】
また、第１のＵＥに［１  １］のＯＣＣを適用し、第２のＵＥに［１  −１］のＯＣＣを適用する場合、第１のスロットでの受信信号Ｙｓ１と第２のスロットでの受信信号Ｙｓ２は、数式１８で表すことができる。
【０１３８】
【数１８】
0005781694.tif 000030
【０１３９】
したがって、第２のＵＥのチャネル推定は、数式１９によって実行されることができる。数式１９において、第２のＵＥのチャネル推定を例示したが、第１のＵＥのチャネル推定も同様に実行されることができる。
【０１４０】
【数１９】
0005781694.tif 000031
【０１４１】
数式１９において、ＵＥ間直交性が保障されるためには、ＲＳ干渉項（ｉｎｔｅｒｆｅｒｅｎｃｅ  ｔｅｒｍ）が０でなければならない。
【０１４２】
１）複数のＵＥが一つの基地局に対してＭＩＭＯ送信を実行するＭＵ−ＭＩＭＯの場合、同一なセルＩＤ下で循環シフトホッピングパターンは同じである。したがって、α１，１−α１，２＝α２，１−α２，２であり、α１，１−α２，１＝α１，２−α２，２である。また、スロット間グループホッピング又はシーケンスホッピングが適用されない場合、グループホッピング及びシーケンスホッピングを指示する定数ｃ及びｄも０であるため、
【化８】
0005781694.tif 000032
となる。したがって、数式１９において、ＲＳ干渉項が０となるため、該当ＵＥ間のＵＬ  ＲＳは、互いに直交する。
【０１４３】
または、ＮＲＢ１＝ＮＲＢ２、即ち、第１のＵＬ  ＤＭＲＳと第２のＵＬ  ＤＭＲＳが送信される帯域幅が同じであると仮定することができる。このとき、スロット間のグループホッピング又はシーケンスホッピングが適用されるとしても
【化９】
0005781694.tif 000033
の場合には、該当ＵＬ  ＤＭＲＳ間の直交性を保障することができる。
【０１４４】
２）ＣｏＭＰシナリオ４の場合、マクロｅＮＢとピコｅＮＢが同一なセルＩＤを有するため、複数のＵＥ間のＵＬ  ＲＳは、ＭＵ−ＭＩＭＯと同様に互いに直交する。即ち、セル間に循環シフトホッピングパターンが同一に設定され、スロット間グループホッピング又はシーケンスホッピングが適用されない場合、ＣｏＭＰシナリオ４で複数のＵＥ間のＵＬ  ＲＳは、互いに直交することができる。このとき、セル特定に上位階層により構成されるΔｓｓを端末特定に設定することによって互いに異なるセルに属するＵＥ間に循環シフトホッピングパターンを同一に設定することができる。Δｓｓを既存の方法のようにセル特定に割り当てるか、端末特定に割り当てるかは、ＲＲＣを介して明示的にシグナリングされ、又は暗黙的にシグナリングされることができる。または、Δｓｓを端末特定に割当可能かどうかは、ＲＲＣを介してシグナリングし、可能な場合、Δｓｓをセル特定に割り当てるか、端末特定に割り当てるかは、ＰＤＣＣＨを介して明示的にシグナリングされることができる。即ち、ＵＬ  ＤＣＩフォーマット内にΔｓｓをセル特定に割り当てるか、端末特定に割り当てるかを指示する指示子が含まれることができる。これによって、ＬＴＥ  ｒｅｌ−８／９／１０などのレガシー（ｌｅｇａｃｙ）端末とＬＴＥ  ｒｅｌ−１１端末との間の相互互換性を維持することができ、既存レガシー端末の性能劣化を防ぐ。
【０１４５】
または、ＮＲＢ１＝ＮＲＢ２、即ち、第１のＵＬ  ＤＭＲＳと第２のＵＬ  ＤＭＲＳが送信される帯域幅が同じであると仮定することができる。このとき、スロット間のグループホッピング又はシーケンスホッピングが適用されるとしても
【化１０】
0005781694.tif 000034
の場合には、該当ＵＬ  ＤＭＲＳ間の直交性を保障することができる。
【０１４６】
３）ＣｏＭＰシナリオ３の場合、マクロｅＮＢとピコｅＮＢが互いに異なるセルＩＤを有するため、各ＵＬ  ＤＭＲＳに割り当てられるシーケンスグループ番号又はシーケンス番号が異なる。しかし、このような場合にもスロット間グループホッピング又はシーケンスホッピングが適用されず、セル間循環シフトホッピングパターンが適用されず、又はα１，１−α２，１＝α１，２−α２，２を満たすように循環シフトが設定される場合には、互いに異なるセルに属する複数のＵＥ間のＵＬ  ＲＳが互いに直交することができる。
【０１４７】
レガシーシステムで定義された循環シフトホッピングメカニズムを維持しながら干渉ランダム化とセル間干渉を最小化し、互いに異なる帯域幅を介して送信される互いに異なる長さのＵＬ  ＤＭＲＳの高い相関関係が発生することを避けるために、互いに異なるセル間の循環シフトホッピングパターンを同一に設定する方法が考慮されることができる。このために、セル特定に上位階層により構成されるΔｓｓを端末特定に設定することによって互いに異なるセルに属するＵＥ間に循環シフトホッピングパターンを同一に設定することができる。Δｓｓを既存の方法のようにセル特定に割り当てるか、端末特定に割り当てるかは、ＲＲＣを介して明示的にシグナリングされ、又は暗黙的にシグナリングされることができる。または、Δｓｓを端末特定に割当可能かどうかは、ＲＲＣを介してシグナリングし、可能な場合、Δｓｓをセル特定に割り当てるか、端末特定に割り当てるかは、ＰＤＣＣＨを介して明示的にシグナリングされることができる。即ち、ＵＬ  ＤＣＩフォーマット内にΔｓｓをセル特定に割り当てるか、端末特定に割り当てるかを指示する指示子が含まれることができる。これによって、レガシー（ｌｅｇａｃｙ）端末とＬＴＥ  ｒｅｌ−１１端末との間の相互互換性を維持することができ、既存レガシー端末の性能劣化を防ぐ。
【０１４８】
または、ＮＲＢ１＝ＮＲＢ２、即ち、第１のＵＬ  ＤＭＲＳと第２のＵＬ  ＤＭＲＳが送信される帯域幅が同じであると仮定することができる。このとき、スロット間のグループホッピング又はシーケンスホッピングが適用されるとしても
【化１１】
0005781694.tif 000035
の場合には、該当ＵＬ  ＤＭＲＳ間の直交性を保障することができる。
【０１４９】
または、互いに異なるセル間の循環シフトホッピングパターンを同一に設定するために、数式１２のＵＬ  ＤＭＲＳの循環シフトを決定するために使われるｎＰＮ（ｎｓ）が端末特定パラメータにさらに基づいて決定されることができる。即ち、ｎＰＮ（ｎｓ）は、数式１３に端末特定パラメータが追加された新たな数式によって決定されることができる。端末特定パラメータが追加された新たな数式は、様々な形態を有することができる。
【０１５０】
より具体的に、ｎＰＮ（ｎｓ）は、前述した数式１３によって決定され、疑似ランダムシーケンス生成器は、各無線フレームのはじめでｃｉｎｉｔ（ＮＩＤｃｅｌｌ，ｆｓｓＰＵＳＣＨ，Ｘ）で初期化されることができる。Ｘは、新たに追加される端末特定パラメータである。既存の疑似ランダムシーケンス生成器が初期化されるｃｉｎｉｔは、数式２０で表現されることができる。
【０１５１】
【数２０】
0005781694.tif 000036
【０１５２】
本発明によって数式２０に端末特定パラメータが追加されることができる。数式２１は、本発明によって疑似ランダムシーケンス生成器が初期化されるｃｉｎｉｔの一例を示す。
【０１５３】
【数２１】
0005781694.tif 000037
【０１５４】
数式２１において、ΔＣＳ＿ｈｏｐｐｉｎｇが新たに追加される端末特定パラメータである。ΔＣＳ＿ｈｏｐｐｉｎｇは、０〜２９のうちいずれか一つの値を有することができる。ΔＣＳ＿ｈｏｐｐｉｎｇの値は、上位階層を介して構成されることができる。ΔＣＳ＿ｈｏｐｐｉｎｇの値が構成される場合、ΔＣＳ＿ｈｏｐｐｉｎｇの適用可否は、ＰＤＣＣＨによって指示されることができる。ΔＣＳ＿ｈｏｐｐｉｎｇが適用されない場合、ΔＣＳ＿ｈｏｐｐｉｎｇ＝０である。また、ΔＣＳ＿ｈｏｐｐｉｎｇの値が構成されない場合にも、ΔＣＳ＿ｈｏｐｐｉｎｇ＝０である。または、ΔＣＳ＿ｈｏｐｐｉｎｇの値は、ＰＤＣＣＨを介して端末特定に構成されることができる。
【０１５５】
数式２２は、本発明によって疑似ランダムシーケンス生成器が初期化されるｃｉｎｉｔの他の例を示す。
【０１５６】
【数２２】
0005781694.tif 000038
【０１５７】
数式２２において、ΔＣＳ＿ｈｏｐｐｉｎｇが新たに追加される端末特定パラメータである。ΔＣＳ＿ｈｏｐｐｉｎｇは、０〜２９のうちいずれか一つの値を有することができる。ΔＣＳ＿ｈｏｐｐｉｎｇの値は、上位階層を介して構成されることができる。ΔＣＳ＿ｈｏｐｐｉｎｇの値が構成される場合、ΔＣＳ＿ｈｏｐｐｉｎｇの適用可否は、ＰＤＣＣＨによって指示されることができる。ΔＣＳ＿ｈｏｐｐｉｎｇが適用されない場合、ΔＣＳ＿ｈｏｐｐｉｎｇ＝０である。また、ΔＣＳ＿ｈｏｐｐｉｎｇの値が構成されない場合にも、ΔＣＳ＿ｈｏｐｐｉｎｇ＝０である。または、ΔＣＳ＿ｈｏｐｐｉｎｇの値は、ＰＤＣＣＨを介して端末特定に構成されることができる。
【０１５８】
または、セルＩＤを同一にして循環シフトホッピングパターンを生成することもできる。即ち、循環シフトホッピングパターンは、仮想ＩＤに基づいて生成されることができる。循環シフトパターンを同一に設定するための仮想ＩＤは、ＰＤＣＣＨを介してシグナリングされることができる。即ち、仮想ＩＤは、ＵＬ  ＤＣＩフォーマット内に追加されてシグナリングされることができる。または、仮想ＩＤは、ＲＲＣシグナリングされることができる。または、仮想ＩＤ使用可能かどうかは、ＲＲＣを介してシグナリングし、可能な場合、これを指示するための指示子をＰＤＣＣＨを介してシグナリングすることができる。または、ＲＲＣシグナリングを介して仮想ＩＤを割り当て、該当仮想ＩＤの使用可否は、ＰＤＣＣＨを介してシグナリングすることができる。これによって、レガシー（ｌｅｇａｃｙ）端末とＬＴＥ  ｒｅｌ−１１端末との間の相互互換性を維持することができ、既存レガシー端末の性能劣化を防ぐ。
【０１５９】
一方、マクロｅＮＢとピコｅＮＢを含む異種ネットワークにおいて、マクロｅＮＢとピコｅＮＢが互いに独立的にスケジューリングを実行することができる。仮想セルＩＤを介して互いに異なるセルに属するＵＥ間のＵＬ  ＤＭＲＳの直交性を保障しようとする場合、互いに異なるＵＥ間に同一なグループホッピング、シーケンスホッピング、循環シフトホッピングが適用されるということを保障することができない。マクロｅＮＢとピコｅＮＢは、独立的にセル特定パラメータを介してＵＥを区分し、マクロｅＮＢとピコｅＮＢとの間に該当情報が互いに交換されない場合、互いに異なるＵＥ間に同一なグループホッピング、シーケンスホッピング、循環シフトホッピングが適用されるということを正確に知ることができない。即ち、互いに異なるＵＥ間に循環シフト多重化が実行されることができない。このためにマクロｅＮＢとピコｅＮＢがＸ２インターフェース（ｉｎｔｅｒｆａｃｅ）を介して該当情報を交換することが提案されることができる。これによって、マクロｅＮＢとピコｅＮＢが独立的にスケジューリングを実行する場合にも、交換される該当情報を介して循環シフト及び／又はＯＣＣを介したＵＬ  ＤＭＲＳの直交性が保障されることができる。
【０１６０】
図１０は、本発明の実施例が具現される無線通信システムのブロック図である。
【０１６１】
基地局８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／又は受信する。
【０１６２】
端末９００は、プロセッサ９１０、メモリ９２０、及びＲＦ部９３０を含む。プロセッサ９１０は、提案された機能、過程及び／又は方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／又は受信する。
【０１６３】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段によりプロセッサ８１０、９１０と連結されることができる。
【０１６４】
前述した例示的なシステムにおいて、方法は、一連のステップ又はブロックで順序図に基づいて説明されているが、本発明は、ステップの順序に限定されるものではなく、あるステップは、前述と異なるステップと、異なる順序に又は同時に発生することができる。また、当業者の場合、順序図に示すステップが排他的でなく、他のステップが含まれ、又は順序図の一つ又はそれ以上のステップが本発明の範囲に影響を及ぼさずに削除可能であることを理解することができる。
【０１６５】
前述した実施例は、多様な態様の例示を含む。多様な態様を示すための全ての可能な組合せを記述することはできないが、該当技術分野の通常の知識を有する者は、他の組合せが可能であることを認識することができる。したがって、本発明は、特許請求の範囲内に属する全ての交替、修正、及び変更を含む。
【図１】
0005781694.tif 000041
【図２】
0005781694.tif 000042
【図３】
0005781694.tif 000043
【図４】
0005781694.tif 000044
【図５】
0005781694.tif 000045
【図６】
0005781694.tif 000046
【図７】
0005781694.tif 000047
【図８】
0005781694.tif 000048
【図９】
0005781694.tif 000049
【図１０】
0005781694.tif 000050